(57)【要約】【課題】造粒機における造粒物の品質を向上させる。【解決手段】この造粒機制御装置は、造粒された造粒物をサンプリングしてそのサンプリングした造粒物の見かけ密度および圧壊強度を測定し（ステップＳ１０）、その実測値が、予め定められた造粒物品質目標値に近づくように造粒機の各運転設定値調整手段（４，６，７）を制御する（ステップＳ２０〜Ｓ６０）。【選択図】図２
2014104411.tif 000002
【特許請求の範囲】
【請求項１】
スクリューフィーダの回転数を調整するフィーダ調整手段、一対のロールの押付け力を調整する押付力調整手段、および一対のロールの回転数を調整するロール調整手段を運転設定値調整手段として有し、回転する一対のロール間に原料を連続して供給し、供給された原料に高圧縮力を加えることにより造粒物を製造する造粒機に用いられる造粒機制御装置であって、
前記造粒機で造粒された造粒物をサンプリングしてそのサンプリングした造粒物の品質を測定する造粒物検査装置と、前記造粒物検査装置で測定した造粒物の品質実測値が、予め定められた造粒物品質目標値に近づくように前記造粒機の各運転設定値調整手段を制御する制御部とを有することを特徴とする造粒機制御装置。
【請求項２】
当該造粒機制御装置は、前記造粒機に供給される原料をサンプリングしてその特性を測定する原料特性測定装置を更に備え、
前記制御部は、前記原料特性測定装置で測定された原料の特性に基づいて、前記造粒物品質目標値を補正する造粒物品質目標値補正手段を備えており、
前記制御部は、前記造粒物検査装置で測定した造粒物の実測値が、前記造粒物品質目標値補正手段で補正後の造粒物品質目標値に近づくように前記造粒機の各運転設定値調整手段を制御することを特徴とする請求項１に記載の造粒機制御装置。
【請求項３】
前記制御部は、前記各運転設定値調整手段の各運転設定値を、前記原料特性測定装置で実測された原料の特性に基づいて定めてから前記造粒機の各運転設定値調整手段の制御の実行を開始するとともに、その後、前記定めた運転設定値に対し、前記造粒物検査装置で測定された造粒物の品質実測値と前記造粒物品質目標値とを比較して、前記造粒物の品質実測値が前記造粒物品質目標値に近づくように前記各運転設定値を補正し、その補正した各運転設定値に基づいて前記造粒機の各運転設定値調整手段を制御することを特徴とする請求項２に記載の造粒機制御装置。
【発明の詳細な説明】
【技術分野】
【０００１】
本発明は、回転する一対のロール間に原料を連続して供給し、供給された原料に高圧縮力を加えることにより造粒物（ブリケット）を製造する造粒機（ブリケッティングマシン）の制御装置に関する。
【背景技術】
【０００２】
造粒機は、回転する一対のロール間に原料を連続して供給し、供給された原料に高圧縮力を加えることにより造粒物を製造するものである（例えば特許文献１ないし２参照）。
従来、ブリケット品質を調整する造粒機の制御は、造粒機の状態、たとえばロールの押付け荷重やロールの動力などをオペレータが適正に保つよう行われていた。ここで、造粒機による造粒物の製造工程における品質管理は、製造された造粒物の一部をオペレータが定期的にサンプリングし、サンプリングした造粒物（ブリケットサンプル）の状態を、見掛け密度や圧壊強度等の物理的性質から造粒物の状態を数値として判別することができる。なお、見掛け密度は、造粒物の体積と重量から求めることができる。
【先行技術文献】
【特許文献】
【０００３】
【特許文献１】特開２００１−６２２８０号公報
【特許文献２】特開平７−３０８５６５号公報
【発明の概要】
【発明が解決しようとする課題】
【０００４】
しかしながら、従来の造粒機の制御は、オペレータの判断によって機械の状態を適正に保つよう行われていたので、ブリケット品質を調整する上では間接的な方法であった。そのため、品質管理はオペレータの判断に依存し、ロールの押付け荷重やロールの動力が適正であっても、ブリケット品質が所望の状態とならない場合があるという問題があった。
そこで、本発明は、このような問題点に着目してなされたものであり、造粒物の品質を向上させることができる造粒機制御装置を提供することを目的とする。
【課題を解決するための手段】
【０００５】
上記課題を解決するために、本発明の一態様に係る造粒機制御装置は、スクリューフィーダの回転数を調整するフィーダ調整手段、一対のロールの押付け力を調整する押付力調整手段、および一対のロールの回転数を調整するロール調整手段を運転設定値調整手段として有し、回転する一対のロール間に原料を連続して供給し、供給された原料に高圧縮力を加えることにより造粒物を製造する造粒機に用いられる造粒機制御装置であって、前記造粒機で造粒された造粒物をサンプリングしてそのサンプリングした造粒物の品質を測定する造粒物検査装置と、前記造粒物検査装置で測定した造粒物の品質実測値が、予め定められた造粒物品質目標値に近づくように前記造粒機の各運転設定値調整手段を制御する制御部とを有することを特徴とする。
【０００６】
ここで、本発明の一態様に係る造粒機制御装置において、当該造粒機制御装置は、前記造粒機に供給される原料をサンプリングしてその特性を測定する原料特性測定装置を更に備え、前記制御部は、前記原料特性測定装置で測定された原料の特性に基づいて、前記造粒物品質目標値を補正する造粒物品質目標値補正手段を備えており、前記制御部は、前記造粒物検査装置で測定した造粒物の品質実測値が、前記造粒物品質目標値補正手段で補正後の造粒物品質目標値に近づくように前記造粒機の各運転設定値調整手段を制御することは好ましい。
【０００７】
また、本発明の一態様に係る造粒機制御装置において、前記制御部は、前記各運転設定値調整手段の各運転設定値を、前記原料特性測定装置で実測された原料の特性に基づいて定めてから前記造粒機の各運転設定値調整手段の制御の実行を開始するとともに、その後、前記定めた運転設定値に対し、前記造粒物検査装置で測定された造粒物の品質実測値と前記造粒物品質目標値とを比較して、前記造粒物の品質実測値が前記造粒物品質目標値に近づくように前記各運転設定値を補正し、その補正した各運転設定値に基づいて前記造粒機の各運転設定値調整手段を制御することは好ましい。
【発明の効果】
【０００８】
本発明によれば、原料をサンプリングして得られる原料特性の実測値（測定データ）、または製品である造粒物をサンプリングして得られる造粒物の品質実測値（測定データ）による客観性の高い制御情報に基づいて、造粒機のスクリューフィーダの回転数、ロールの回転数、並びにロールの押付け力等の各運転設定値調整手段を自動制御するので、従来の造粒機でのオペレータの判断に依存した運転状態の設定に比べてより好適な運転状況を作り出すことができる。そのため、造粒物の品質を向上させることができる。
【図面の簡単な説明】
【０００９】
【図１】本発明の造粒機制御装置の一実施形態を備える造粒物製造設備の一例の模式図である。
【図２】制御部で実行される造粒機制御処理のフローチャートである。
【図３】造粒物品質と運転設定値調整手段の調整との相関、および造粒物の見かけ密度と圧壊強度との関係（品質相関線）を説明する図（(ａ)〜(ｅ)）である。
【図４】造粒物の見かけ密度と圧壊強度との関係（品質相関線）を説明する図である。
【図５】制御部で実行される造粒機制御処理のフローチャートの変形例である。
【図６】制御部で実行される造粒機制御処理のフローチャートの変形例である。
【発明を実施するための形態】
【００１０】
以下、本発明の造粒機制御装置を備える造粒物製造設備の一実施形態について、図面を適宜参照しつつ説明する。
この造粒物製造設備は、図１に示すように、上部に原料供給口１を有する造粒機１０を備えている。原料供給口１の上流側には原料ホッパ２１が設けられ、原料ホッパ２１内の原料は原料コンベア２２を介して原料供給口１に供給可能になっている。原料供給口１に供給された原料は、造粒機１０のフィードホッパ２に導かれる。
【００１１】
フィードホッパ２は、上部に向けて拡径する漏斗状をなし、その内部には、螺旋状の羽根を有するスクリューフィーダ３が配設されている。また、フィードホッパ２上部には、スクリューフィーダ３を回転駆動するフィーダ駆動部４が、スクリューフィーダ３の回転数を調整するフィーダ調整手段として設けられている。
フィードホッパ２下部には開口部が形成され、この開口部に対して、一対のロール５，５が左右両側に対向配置されている。一対のロール５，５には、各ロール５，５を同時に同調駆動しつつその回転数を調整するロール調整手段としてロール駆動部６が設けられ、さらに、一対のロール５，５の一方には、油圧装置７と、ロール後退量計測センサ８とが設けられている。ロール後退量計測センサ８は、対向するロール５，５同士の距離（後退量）を測定可能な計測器である。また、油圧装置７は、ロール５，５の押付け力を調整する押付力調整手段である。なお、上記フィーダ駆動部４、ロール駆動部６および油圧装置７が、「課題を解決するための手段」に記載の「運転設定値調整手段」に対応する。
【００１２】
そして、一対のロール５，５の各表面には、一対のロール５，５によって対をなす凹部（不図示）が多数形成されている。これら対をなす凹部は、一対のロール５，５相互の協働により、造粒される造粒物Ｂに対応する形状を有し、ロール５，５が回転駆動されると、フィードホッパ２の下部から排出された原料Ｍが、対をなす凹部同士の間で挟圧され、これにより、所望形状の造粒物Ｂが成形されるようになっている。そして、成形された造粒物Ｂは、一対のロール５，５の下部から搬送コンベア２３上に排出され、搬送コンベア２３により次工程等に搬出されるようになっている。
【００１３】
ここで、この造粒物製造設備は、造粒機１０の制御装置として、同図に示すように、造粒機を制御する制御部３１と、原料の特性を測定する原料特性測定装置３２と、造粒物の品質を測定する造粒物検査装置３３とを有する。
詳しくは、原料特性測定装置３２は、原料コンベア２２の近傍に設けられており、造粒機１０に供給される原料をサンプリングしてその特性を測定することができるものである。原料特性測定装置３２は、原料の特性として、粒度、かさ密度、含有する水分量、内部摩擦角、および圧縮係数を測定可能に構成されている。原料特性測定装置３２で測定された原料特性の実測値（測定データ）は、制御部３１に出力される。
【００１４】
また、造粒物検査装置３３は、搬送コンベア２３の近傍に設けられており、造粒機１０で造粒された造粒物をサンプリングして、そのサンプリングした造粒物の品質として、少なくとも見かけ密度および圧壊強度を測定することができるものである。本実施形態の造粒物検査装置３３は、サンプリングした造粒物の品質として、重量、体積、見かけ密度および圧壊強度をそれぞれ測定するとともに、造粒物の歩留まりを判定可能とされている。造粒物検査装置３３で測定された造粒物の品質実測値（測定データ）についても、制御部３１に出力される。
【００１５】
制御部３１は、パーソナルコンピュータを含む制御装置であって、この制御部３１には、上述した原料特性測定装置３２で測定された原料の特性の測定データ、および造粒物検査装置３３で測定されたサンプリングした造粒物の品質の測定データ並びに、上記ロール後退量計測センサ８からの後退量の測定データがそれぞれ入力される。さらに、この制御部３１には、フィーダ駆動部４からフィーダ駆動モータの出力（以下、「フィーダｋW（キロワット）」ともいう）、およびロール駆動部６からロール駆動モータの出力（以下、「ロールｋW（キロワット）」ともいう）が測定データとして入力される。そして、制御部３１は、所定の造粒機制御処理のプログラムを実行し、所定の造粒機制御処理に基づいて上記フィーダ駆動部４、ロール駆動部６および油圧装置７を制御するようになっている。
【００１６】
本実施形態において、制御部３１で造粒機制御処理のプログラムが実行されると、図２に示すように、まず、ステップＳ１０に移行して、造粒物検査装置３３で測定した造粒物の測定データ（実測値）を取得する。続くステップＳ２０では、ステップＳ１０で取得した造粒物の測定データ（実測値）が、予め定められた造粒物品質目標値に対して所定の上限および下限の閾値の範囲（許容範囲）内か否かを判定する。つまり、予め定められた造粒物品質の許容範囲内であれば（Ｙｅｓ）ステップＳ３０に移行し、そうでなければ（Ｎｏ）ステップＳ４０に移行する。「造粒物品質目標値」とは、製造される造粒物の各物性（重量、体積、見かけ密度および圧壊強度等）の目標値であり、原料および製品に応じて適宜設定される。
【００１７】
ステップＳ３０では、現在の運転設定値を維持して処理をステップＳ１０に戻す。ここで、「運転設定値」とは、上記フィーダ駆動部４の回転数、ロール駆動部６の回転数および油圧装置７の押付け力にそれぞれ対応する設定値である。ステップＳ４０では、ステップＳ１０で取得した造粒物の測定データ（実測値）が、予め定められた造粒物品質目標値に対して所定の下限の閾値未満か否かを判定する。つまり、予め定められた造粒物品質目標値の許容範囲未満であれば（Ｙｅｓ）ステップＳ５０に移行し、そうでなければ（Ｎｏ）ステップＳ６０に移行する。
【００１８】
ステップＳ５０では、現在の運転設定値を所定の値だけ造粒物品質が上昇する方向に修正した運転設定値に変えて処理をステップＳ１０に戻す。ステップＳ６０では、予め定められた造粒物品質目標値の許容範囲を超えていると判断されるので、現在の運転設定値を所定の値だけ造粒物品質が下降する方向に修正した運転設定値に変えて処理をステップＳ１０に戻す。この造粒機制御処理により、造粒物の測定データ（実測値）が、予め定められた造粒物品質目標値に近づくように、造粒機１０の運転設定値調整手段である上記フィーダ駆動部４、ロール駆動部６および油圧装置７が制御される。
【００１９】
ここで、上記「造粒物品質目標値」の設定について図３(ａ)〜(ｅ)を参照して説明する。
「造粒物品質目標値」は、予め、造粒機に供給される原料をサンプリングし、当該原料の特性を原料特性測定装置３２にて予め測定するとともに、造粒物検査装置３３にて測定した当該原料により製造された造粒物の品質（ここでは見かけ密度と圧壊強度）の結果から、図３(ａ)に示すような品質相関線（ここでは見かけ密度と圧壊強度との関係のグラフ）を初期設定用のベースラインとして得ておく。この結果は、制御部３１で、例えばテーブルデータとして記憶してもよいし、同図に示すような相関を示す関数式として記憶してもよい。図３(ａ)に示すように、造粒物の見かけ密度に対する造粒物の圧壊強度の関係は、ある値以上に見かけ密度を上げようとしても、成形時に割れてしまうので成形することができないことから山形の相関を示す。造粒物の特性としては、圧壊強度が高い方が好ましいことから、本実施形態では、品質相関線の山の頂点をねらい目として山の両側に所定の許容範囲を造粒物の見かけ密度の許容範囲に設定している。なお、品質相関線の山の頂点をねらい目とするのは一例であり、ピークとして明確な山があらわれない場合もある。このような場合には、ピークでなく、所望する品質として密度を所定の範囲に設定することができる。
【００２０】
一方、造粒物品質（ここでは見かけ密度）に対するスクリューフィーダ３の回転数、一対のロール５，５の押付け力、および一対のロール５，５の回転数は、造粒物の見かけ密度との相関に基づき規定して管理することができる。
具体的には、図３(ｂ)に示すように、一対のロール５，５の押付け力に対し、造粒物の見かけ密度は正の相関を示す。つまり、一対のロール５，５による挟圧力が高ければ造粒物の見かけ密度が上がり、挟圧力が低ければ造粒物の見かけ密度が下がる。また、同図(ｃ)に示すように、一対のロール５，５の回転数に対し、造粒物の見かけ密度は負の相関を示す。つまり、一対のロール５，５のロール回転数が上がると造粒物の見かけ密度が下がり、回転数が低いと造粒物の見かけ密度が上がる。特に所定回転数を超えると見かけ密度は極端に低下する。また、同図(ｄ)に示すように、スクリューフィーダ３の回転数に対し、造粒物の見かけ密度は正の相関を示すところ、この相関関係は、上記「ロールｋW」との比例関係をもつ。
【００２１】
そして、同図(ｂ)および(ｃ)から、同図(ｅ)に示すように、一対のロール５，５の押付け力に対し、これに対応する造粒物の見かけ密度は正の相関を示す。そのため、同図に示す一対のロール５，５の回転数の所定範囲（ロール低速からロール高速として示すグラフの範囲）を勘案して、上述した見かけ密度の許容範囲を設定している。これにより、上記「ロールｋW」の管理範囲を所定範囲に対応させて設定し、制御部３１でこの「ロールｋW」が管理範囲内の値（一定）になるように監視しつつスクリューフィーダの回転数を制御することにより、品質相関線上において、造粒物の見かけ密度（および圧壊強度）をねらいの許容範囲内に管理するように運転することができる（ステップＳ２０−Ｓ３０）。
【００２２】
ここで、造粒物の測定データ（実測値）が、予め定められた造粒物品質目標値に近づくようにする上で、運転設定値調整手段の具体的なフィードバック制御としては、例えば、図４に※印にて示すように、品質相関線Ａ上に測定データ（実測値）が乗っている場合において、造粒物の見かけ密度および圧壊強度が予め定められた造粒物品質目標値の範囲に対していずれも低いとき（ステップＳ４０での「Ｙｅｓ」）には、制御部３１は、まず、ロール駆動部６についてはその回転数を初期の設定値に維持する（または所定だけ下げる）指令をしつつ、フィーダ駆動部４に対しては、スクリューフィーダ３の回転数を所定だけ上げる指令をし、また、油圧装置７に対しては、押付け力を所定だけ上げる指令を行う等によって管理する（ステップＳ５０）。
【００２３】
また、図４に＊印にて示すように、品質相関線Ａ上に測定データ（実測値）が乗っている場合において、造粒物の見かけ密度が予め定められた造粒物品質目標値に対して高く、圧壊強度が予め定められた造粒物品質目標値の範囲に対して低いとき（ステップＳ４０での「No」）には、制御部３１は、ロール駆動部６については初期の設定値を維持する（または所定だけ上げる）指令をしつつ、フィーダ駆動部４に対しては、スクリューフィーダ３の回転数を所定だけ下げる指令をし、また、油圧装置７に対しては、押付け力を所定だけ下げる指令を行う等によって管理することができる（ステップＳ６０）。
【００２４】
なお、いずれの運転設定値調整手段を、いずれの測定データ（実測値）の変化に対応させるかについては、種々の原料により当然に異なる場合があるし、また、製造する造粒物の種類やサイズ等によっても異なることから、そのときの条件に合せて予め行った試験結果等のデータに基づいて上記品質相関線や運転設定値およびその設定順序を適宜定める。
例えば図４においては品質相関線Ａがベースラインとされており、上述の実施形態では、これに基づき運転設定値を制御する例を示すところ、異なる原料が投入された場合には、その原料特性において、同図に示す品質相関線Ａ’がベースラインとして設定されることもある。つまり、原料特性毎に原料の水分量や粒度分布などの差異によって品質相関線が移動する場合がある。そのため、品質相関線は、原料特性の差異によって個別に設定され、ねらいの見かけ密度の範囲がそれに応じて変わる。
【００２５】
換言すれば、このような場合には、設定の基礎とされるベースラインが品質相関線Ａから外れることになる。そのため、制御部３１は、品質相関線Ａ’が予めデータとして記憶されている場合であれば、速やかに品質相関線Ａ’を新たなベースラインに変更して対応する制御を開始する。
【００２６】
また、品質相関線Ａ’が予めデータとして取得されていなければ、当該原料の特性を原料特性測定装置３２にて測定するとともに、造粒物検査装置３３にて測定した当該原料により製造された造粒物の品質の結果から新たな品質相関線Ａ’を得て、これを新たなベースラインとして記憶する。そして、当該原料特性に対応するベースラインが新たな品質相関線Ａ’に決まったなら、それに応じてねらいの見かけ密度の範囲を設定し、それに対するロール押し付け力と、ロール回転数とを運転開始時の条件として決める。これにより、造粒機の運転を開始して、その後は、見かけ密度が一定（ねらい目）になるように、つまり一対のロールの押し付け力が一定になるように上述したように制御する。例えばロール押し付け力は、ロール駆動モータの出力（ロールｋW）に比例するので、ロール駆動モータの出力が一定になるようにフィーダの回転数を制御する。なお、このように品質相関線が変わる場合の変形例については後述する。
【００２７】
次に、上記造粒物製造設備による造粒機の制御およびその作用効果について説明する。
上述した造粒物製造設備が運転されると、制御部３１は、上記フィーダ駆動部４、ロール駆動部６および油圧装置７を、予め定められた造粒機１０の運転設定値を初期運転設定値として、この初期運転設定値に基づき運転を開始する。運転が開始されると、回転する一対のロール５，５間に原料が連続して供給され、供給された原料Ｍに一対のロール５，５で高圧縮力が加えられることにより造粒物Ｂが製造される。
【００２８】
造粒物が製造されると、造粒物検査装置３３は、造粒機１０で造粒された造粒物をサンプリングしてそのサンプリングした造粒物の見かけ密度および圧壊強度を測定する。制御部３１は、造粒機１０の各運転設定値調整手段を制御し、上記造粒機制御処理のステップＳ１０〜Ｓ６０の処理により、測定された造粒物の実測値が、予め定められた造粒物品質目標値に近づくように造粒機１０の各運転設定値調整手段を制御しつつ、回転する一対のロール間に原料を連続して供給し、供給された原料に高圧縮力を加えることにより造粒物の製造を行う。
【００２９】
すなわち、この造粒物製造設備によれば、造粒機１０の制御装置として、造粒物検査装置３３と制御部３１とを有し、制御部３１は、造粒物検査装置３３で測定した造粒物の実測値の測定データを、予め定められた造粒物品質目標値に近づけるように造粒機１０のフィーダ駆動部４、駆動モータ５および油圧装置７を自動制御するので、従来の造粒機でのオペレータの判断に依存した運転状態の設定に比べてより好適な運転状況を作り出すことができる。そのため、造粒物の品質を向上させることができる。
【００３０】
なお、本発明に係る造粒機制御装置は、上記実施形態に限定されるものではなく、本発明の趣旨を逸脱しなければ種々の変形が可能である。
例えば、上記実施形態では、原料特性測定装置３２で測定された原料の特性の測定データについては、予め、造粒機に供給される原料をサンプリングし、当該原料の特性を予め測定して、造粒物検査装置３３にて測定した当該原料により製造された造粒物の品質の結果から品質相関線を初期設定用のベースラインとして得ておく例で説明し、制御装置の制御部３１での制御対象としての説明を行わなかったが、制御部３１は、原料特性測定装置３２で測定された原料の特性の測定データに基づいて、予め定められた造粒物品質目標値を補正する構成（造粒物品質目標値補正手段）を更に備えるものとすることができる。そして、制御部３１が、造粒物検査装置３３で測定した造粒物の実測値の測定データが、造粒物品質目標値補正手段で補正後の造粒物品質目標値に近づくように造粒機１０のフィーダ駆動部４、駆動モータ５および油圧装置７を制御する構成とすることができる。
【００３１】
具体的には、例えば図５に第一変形例を示すように、制御部３１で造粒機制御処理のプログラムが実行されると、まず、ステップＳ１に移行して、原料特性測定装置３２で測定された原料の特性の測定データを取得する。続くステップＳ２では、原料特性測定装置３２で測定された原料の特性の測定データに基づいて、予め定められた造粒物品質目標値を補正する。以下の処理は、上記実施形態でのステップＳ１０〜Ｓ６０同様である。
この第一変形例の造粒物製造設備で造粒物を製造する際は、造粒機１０に供給される原料をサンプリングしてその特性を原料特性測定装置３２で測定し（ステップＳ１）、その測定された原料の特性に基づいて造粒物品質目標値を補正し（ステップＳ２）、その後に、上記実施形態同様にして造粒物の製造を行う。
【００３２】
すなわち、この第一変形例によれば、造粒物検査装置３３によるサンプリングで測定した造粒物の実測値が、上記造粒物品質目標値補正手段で補正後の造粒物品質目標値に近づくように造粒機１０の各運転設定値調整手段を制御しつつ、回転する一対のロール間に原料を連続して供給し、供給された原料に高圧縮力を加えることにより造粒物を製造することができる。そのため、例えば、図４に例示したような品質相関線Ａおよび品質相関線Ａ’がある場合に、品質相関線Ａに基づく造粒物品質目標値であったときに、原料の特性の測定データに基づいて造粒物品質目標値を品質相関線Ａ’に適合させるように補正することができる。このように、サンプリングされた造粒物を自動測定して見かけ密度と圧壊強度の測定データを取得し、原料が変わらない場合であれば、当該原料特性に対応するベースライン上のみでロール駆動モータの出力が一定になるようにフィーダの回転数を制御することで足りる。これに対し、ベースラインから外れたものがあった場合、この第一変形例によれば、機械の特性ではなく、原料自体の特性が変わったものと判断してベースライン自体を補正することができるため、造粒物の品質を向上させる上でより好適である。
【００３３】
さらに、例えば図６に第二変形例を示すように、制御部３１で造粒機制御処理のプログラムが実行されると、まず、ステップＳ３に移行して、原料特性測定装置３２で測定された原料の特性の測定データを取得し、続くステップＳ４で、フィーダ駆動部４、駆動モータ５および油圧装置７の各運転設定値を、原料特性測定装置３２で測定された原料の特性の測定データに基づいて定める構成としてもよい。なお、以下の処理は、上記実施形態でのステップＳ１０〜Ｓ６０同様である。
【００３４】
この第二変形例の造粒物製造設備で造粒物を製造する際は、造粒機１０に供給される原料をサンプリングしてその特性を原料特性測定装置３２で測定し（ステップＳ３）、その測定された原料の特性に基づいて各運転設定値を定め（ステップＳ４）、その後に、上記実施形態同様にして造粒物の製造を行う。
【００３５】
すなわち、この第二変形例の造粒物製造設備で造粒物を製造する際は、制御部３１が、フィーダ駆動部４、駆動モータ５および油圧装置７の各運転設定値を、原料特性測定装置３２で実測された原料の特性に基づいて定め、その後に、造粒機１０の各運転設定値調整手段の制御の実行を開始する。そして、その原料の特性に基づいて定めた運転設定値により製造された造粒物をサンプリングし、造粒物検査装置３３で測定された造粒物の実測値と造粒物品質目標値とを比較して、造粒物の実測値の測定データが造粒物品質目標値に近づくように各運転設定値を補正し、その補正した各運転設定値に基づいて造粒機１０の各運転設定値調整手段を制御しつつ、回転する一対のロール間に原料を連続して供給し、供給された原料に高圧縮力を加えることにより造粒物を製造する。そのため、この第二変形例によれば、例えば、図４に例示したような品質相関線Ａおよび品質相関線Ａ’がある場合に、品質相関線Ａに基づく運転設定値であったときに、実測された原料の特性に基づいて各運転設定値を品質相関線Ａ’に適合するように定めてから運転が開始されるので、造粒物の品質を向上させる上でより好ましい。
【００３６】
さらにまた、図示は省略するが、上記第一および第二変形例に示したステップＳ１、Ｓ２、Ｓ３およびＳ４、並びに上記実施形態のステップＳ１０〜Ｓ６０の処理全てを含む造粒機制御処理のプログラムを制御部３１に実行させる構成とすることもできる。このような構成であれば、原料の特性の測定データに基づいて造粒物品質目標値を補正するとともに、実測された原料の特性に基づいて各運転設定値を定めてから運転が開始されるので、造粒物の品質を向上させる上でより一層好適である。
【符号の説明】
【００３７】
１    原料供給口
２    フィードホッパ
３    スクリューフィーダ
４    フィーダ駆動部
５    ロール
６    ロール駆動部
７    油圧装置
８    ロール後退量計測センサ
１０    造粒機（ブリケッティングマシン）
２１    原料ホッパ
２２    原料コンベア
２３    搬送コンベア
３１    制御部
３２    原料特性測定装置
３３    造粒物検査装置
Ｂ    造粒物（ブリケット）
Ｍ    原料
【図１】
2014104411.tif 000003
【図２】
2014104411.tif 000004
【図３】
2014104411.tif 000005
【図４】
2014104411.tif 000006
【図５】
2014104411.tif 000007
【図６】
2014104411.tif 000008